(57)【要約】  マルチメディアケーブルであって、特に、中央導体コアの周りに配置された導体コアの２つ以上の同心リングを含む、ＨＤＭＩ規格に従ってデジタル信号を搬送するよう設計されたマルチメディアケーブルである。
2013516743.tif 000002
【特許請求の範囲】
【請求項１】
中央ケーブルコアと、
前記中央ケーブルコアの周りに同心円状に配置された第１の複数のケーブルコアから形成された第１のリングと、
ケーブルコアにおける同心の前記第１のリングの周りに配置された第２の複数のケーブルコアから形成された第２のリングとを含み、
前記中央ケーブルコア、前記第１の複数のケーブルコア、および前記第２の複数のケーブルコアは、全部で少なくとも１９個のケーブルコアを含み、
前記第１の複数のケーブルコアは互いに概して平行に配置され、
前記第２の複数のケーブルコアは互いに概して平行に配置されている、マルチメディアケーブル。
【請求項２】
前記ケーブルは、ＨＤＭＩ規格バージョン１．３に従って信号を搬送するのに好適である、請求項１に記載のマルチメディアケーブル。
【請求項３】
前記ケーブルは、ＨＤＭＩ規格バージョン１．４に従って信号を搬送するのに好適である、請求項１に記載のマルチメディアケーブル。
【請求項４】
前記少なくとも１９個のケーブルコアは、少なくとも１４個の個々にシールドされたケーブルコアと、少なくとも５個のシールドされていないケーブルコアとを含む、請求項１に記載のマルチメディアケーブル。
【請求項５】
前記第１の複数のケーブルコアは１個のシールドされていないケーブルコアを含み、前記第２の複数のケーブルコアは４個のシールドされていないケーブルコアを含む、請求項４に記載のマルチメディアケーブル。
【請求項６】
前記少なくとも１９個のケーブルコアは、ちょうど１９個のケーブルコアを含む、請求項４に記載のマルチメディアケーブル。
【請求項７】
前記少なくとも１９個のケーブルコアは、少なくとも２２個のケーブルコアを含む、請求項１に記載のマルチメディアケーブル。
【請求項８】
前記少なくとも２２個のケーブルコアは、少なくとも１７個の個々にシールドされたケーブルコアと、少なくとも５個のシールドされていないケーブルコアとを含む、請求項７に記載のマルチメディアケーブル。
【請求項９】
前記少なくとも２２個のケーブルコアは、少なくとも１７個の個々にシールドされたケーブルコアと、少なくとも５個のシールドされていないケーブルコアとを含む、請求項８に記載のマルチメディアケーブル。
【請求項１０】
前記少なくとも２２個のケーブルコアは、ちょうど１７個の個々にシールドされたケーブルコアと、ちょうど５個のシールドされていないケーブルコアとを含む、請求項８に記載のマルチメディアケーブル。
【請求項１１】
前記個々にシールドされたケーブルコアのうちの８個と前記シールドされていないケーブルコアのうちの１個とが前記第１の複数のケーブルコアを形成し、前記シールドされたケーブルコアのうちの８個と前記シールドされていないケーブルコアのうちの４個とが前記第２の複数のケーブルコアを形成する、請求項１０に記載のマルチメディアケーブル。
【請求項１２】
前記第２の複数のケーブルコアは繰返しパターンの組を形成し、各組は、１個のシールドされていないケーブルコアと２個の個々にシールドされたケーブルコアとから形成されている、請求項１１に記載のマルチメディアケーブル。
【請求項１３】
前記第１の複数のケーブルコアは少なくとも８個のケーブルコアを含み、前記第２の複数のケーブルコアは少なくとも１５個のケーブルコアを含む、請求項７に記載のマルチメディアケーブル。
【請求項１４】
前記第１の複数のケーブルコアは少なくとも７個の個々にシールドされたケーブルコアを含み、前記第２の複数のケーブルコアは少なくとも１０個の個々にシールドされたケーブルコアを含む、請求項１３に記載のマルチメディアケーブル。
【請求項１５】
前記第１のリングと前記第２のリングとの間に配置されたシールド材をさらに含む、請求項１に記載のマルチメディアケーブル。
【請求項１６】
前記第１のリングと前記第２のリングとの間に配置されたＡｌ−マイラーテープをさらに含む、請求項１５に記載のマルチメディアケーブル。
【請求項１７】
前記第２のリングを包囲するシールド材をさらに含む、請求項１６に記載のマルチメディアケーブル。
【請求項１８】
前記第２のリングを包囲するＡｌ−マイラーテープをさらに含む、請求項１７に記載のマルチメディアケーブル。
【請求項１９】
前記第２のリングを包囲する前記シールド材を包囲する絶縁性被覆材を含む、請求項１７に記載のマルチメディアケーブル。
【請求項２０】
中央ケーブルコアと、
前記中央ケーブルコアの周りに配置された８個の個々にシールドされたケーブルコアと１個のシールドされていないケーブルコアとから形成された第１の同心リングと、
前記第１の同心リングを包囲する第１のシールド材と、
前記第１の同心リングの周りに配置された８個の個々にシールドされたケーブルコアと４個のシールドされていないケーブルコアとから形成された第２の同心リングと、
前記第２の同心リングを包囲する第２のシールド材と、
前記第２のシールド材を包囲する絶縁性被覆材とを含み、
前記第１の同心リングを形成する前記ケーブルコアは互いに概して平行に配置され、
前記第２の同心リングを形成する前記ケーブルコアは互いに概して平行に配置されている、マルチメディアケーブル。
【発明の詳細な説明】
【技術分野】
【０００１】
関連出願との相互参照
本願は、２０１０年１月５日に出願された米国仮特許出願第６１／２９２，３７６号の利益を主張する。当該仮出願の開示全体はここに引用により援用される。
【０００２】
発明の背景
１．発明の分野
この開示は電子ケーブルの分野に関する。特に、デジタル情報の転送用の高速ケーブルに関する。具体的には、ここに説明されるケーブルは、より一般的には高精細マルチメディアインターフェイス（ＨＤＭＩ）ケーブルと呼ばれるマルチメディアケーブルであり、それらの間で一般的に使用されている伝送規格に基づくものである。それらのサイズに基づき、ここに説明される実施例は小型ＨＤＭＩケーブルとして説明され得る。
【背景技術】
【０００３】
２．関連技術の説明
家庭用娯楽機器の分野は飛躍的に成長している。映像最前線では、白黒のアナログ信号は１００年前の最新技術であった。現在、高精細カラーが標準となってきている。また、放送信号への依存は、デジタルケーブル、ブルーレイ（登録商標）映像ソース、およびデジタルレコーダに置き換えられてきた。今日の映像画面は、膨大な色彩を信じられないほどの解像度で再生できる。また、それらは概して、占有空間は依然として小さいながら、はるかにより大きい（そして異なる比率の）画面を有している。
【０００４】
家庭用娯楽システムの映像ディスプレイの改良とともに、音声再生に主要な変更および改良が加えられてきた。今日の音声も、関連付けられた映像とともに、またはそれ自体で、デジタルで保存および転送可能である。また、もはやたった１つのスピーカが画面に配置されるよう限定されることはない。音声は多数のチャネルで提供され、これまで不可能だったくらいに視聴者を番組に没頭させる。
【０００５】
音声および映像再生におけるこれらの改良とともに、インターネットの台頭およびデータのコンピュータ保存も、娯楽を得る新しい方法を作り出してきた。娯楽番組のデジタル保存および伝送により、ユーザは、劣化することなくほぼ無限の回数再生可能であり、異なる機器間で自由に転送され「オンデマンド」で視聴することが可能である、ある特定の娯楽番組の複製を得ることができる。
【０００６】
しかしながら、あらゆるこの新しい機能性では、より多くの異なる装置間でデータを転送できるようにするための要件が生じる。２０年前では、テレビは、音声、映像およびコンテンツを供給する自己完結型の装置であったが、今日では、より良いソースおよび再生に対する需要が、いくつかのコア装置と多くの異なる周辺装置とを含む平均的なホームシアターをもたらしてきた。これらの異なる装置間でデータを転送することは、多くの娯楽システムが異なる規格および品質のネズミの巣のようなケーブルを有する結果を招いている。
【０００７】
音声および映像データの伝送に使用される規格はたくさんあり、したがってケーブルもたくさんある。コンポーネントビデオ、Ｓ−ビデオ、光ファイバなどはすべて、長所と短所とを有する技術である。しかしながら、これらの技術の多くに対する主な懸念のうちの１つは、ケーブルの急増、および、コンポーネント同士を接続するために多数の物理的ケーブルを有する必要性である。また、セットアップの優劣がその最も弱いリンク次第で決まることがしばしばある。
【０００８】
ケーブルの問題を簡潔にするために、高精細マルチメディアインターフェイス（ＨＤＭＩ）規格が、以前に提案された。この規格は、この規格を用いるよう設計されたケーブル間での音声、映像、およびデータの完全デジタル伝送を提供する。これらのＨＤＭＩケーブルは、要件を満たすよう、ひいては、３つの音声チャネルと、３つの映像チャネル（１つのカラー信号の３つの構成要素に対応）と、指示（家庭用電化製品チャネル（ＣＥＣ））、コンポーネントが追加されているかまたは取り外されているかどうかを判断するためのホットプラグ検出、ならびに、暗号化および関連する装置情報のためのディスプレイデータチャネル（ＤＤＣ）を装置が交換できるようにするものを含む多数の他の支持信号とを搬送する導体を提供するよう、設計されている。より新しい規格（ＨＤＭＩ１．４）は、イーサネット（登録商標）データおよび音声リターンチャネル（ＨＥＡＣ）も含んでいる。ＨＤＭＩの規格は、ＨＤＭＩジャックでのケーブルの終端方法とともに、www.hdmi.orgで公的に入手可能であり、その開示全体はここに引用により援用される。
【０００９】
ＨＤＭＩケーブルは、現行の（バージョン１．３）ＨＤＭＩ規格で必要とされる信号をすべて搬送するために、少なくとも１８個の別個の導体を含む必要があるであろう。そのようなケーブル（９００）の一実施例を、図１に示す。導体のうちの１２個は個々に被覆され（図１の中空円によって示されるケーブルコアを形成）、４個のツイストペアグループ（９０１）、（９０３）、（９０５）および（９０７）（各々、被覆されていない接地（斜線付きの円によって表わされる）を有する）となるよう構成されて、音声および映像の３つのチャネルとクロック信号とを搬送する。ツイストペアグループの各々はその場合、専用の被覆材（９９１）、（９９３）、（９９５）および（９９７）を含む。２個の導体（１つのコアと１つの被覆されていない接地）が電力および一般接地（９１１）を形成し、一方、残りの４個のコアは特殊チャネルとして機能する。具体的には、ＤＤＣ（２個のコアを使用）（９２１）、ＣＥＣ（９２３）、ホットプラグ検出（９２５）、および将来の規格によって使用するために取ってある未使用のコア（９２７）である。どの目的のために特定のコア（９２３）、（９２５）および（９２７）のうちのどれを使用するかは、製造業者がコア（９２３）、（９２５）および（９２７）をどのように接続するよう選択するかに基づいて変更可能である。
【００１０】
標準ＨＤＭＩケーブルはしたがって、４個の構成要素ツイストペアケーブル（９０１）、（９０３）、（９０５）および（９０７）（各々、それ自体のシールド材を有する）と、接地付き電力ケーブル（９１１）と、特殊コア（９２１）、（９２３）、（９２５）および（９２７）とを含む。この束全体が次に、マイラーテープ（９５２）、ワイヤブレードシールド材（９５４）、および絶縁性被覆材（９５６）の内部に配置されて、代表的なＨＤＭＩケーブルを形成する。
【発明の概要】
【発明が解決しようとする課題】
【００１１】
この構成は良好な信号品質と簡略化された接続とを提供するが、いくつかの問題も提供する。第１に、ツイストペアケーブル（９０１）、（９０３）、（９０５）および（９０７）の使用は、捩じれを収容する追加の空間と、各ツイストペア（９０１）、（９０３）、（９０５）および（９０７）に個々のシールド材（９９１）、（９９３）、（９９５）および（９９７）を含めることとを必要とする。これにより、ケーブル（９００）は必要以上にかさ高くなり、（たとえば内部配線または携帯機器において）小さいケーブルが必要とされるような用途には合わなくなるおそれがある。
【００１２】
また、並列伝送を利用するＨＤＭＩ規格は、ツイストペア（９０１）、（９０３）、（９０５）および（９０７）間の漏話をもたらおそれがある。このため、速度を増加させる必要が高まるにつれて、またケーブル長が増加するにつれて、一般にコアにおけるワイヤゲージを増加させる必要があり、さもなければ信号劣化が起こるおそれがある。信号はアナログではなくデジタルであるため、信号劣化は信号の一部の損失をもたらし、それは次に信号品質の大規模な劣化をもたらすおそれがある。ＨＤＭＩ規格は（イーサネット（登録商標）接続などでのたいていの標準データ送信とは対照的に）リアルタイムであるため、より長いケーブル長に関して多数の問題も発生し、信頼性のあるＨＤＭＩ伝送は通常、ほんの数フィートに限定されてきた。
【００１３】
多くの場合、これは受入れ可能である。なぜなら、ホームシアターにおけるコンポーネント間の距離は、これらの距離の範囲内に十分あり得るためである。しかしながら、用途によっては、長さの限定が重大となり得る。特に小さい直径のケーブルが必要とされる場合（たとえば、空間が貴重である携帯機器または機器内部の接続など）、伝統的なＨＤＭＩケーブルは、信頼性のある性能をまったく提供できないかもしれない。
【００１４】
当業者には公知である上述のおよび他の理由により、伝統的なツイストペア構造を排除しつつ信号品質を依然として維持する内部導体の同軸構成を提供する、ＨＤＭＩ規格（ＨＤＭＩ１．３および１．４など、ただしこれらに限定されない）で使用するために設計されたマルチメディアケーブルが、ここに説明される。
【課題を解決するための手段】
【００１５】
発明の概要
以下は、この発明のいくつかの局面の基本的な理解を提供するための、この発明の概要である。この概要は、この発明の主なまたは重要な要素を特定するよう、もしくはこの発明の範囲を詳述するよう意図されてはいない。この項目の唯一の目的は、後で提示されるより詳細な説明の前置きとして、この発明のいくつかの概念を簡略化された形で提示することである。
【００１６】
当該技術分野における上述のおよび他の問題のため、ここに説明されるのは、とりわけ、マルチメディアケーブル、特に、中央導体コアの周りに配置された導体コアの２つ以上の同心リングを含む、ＨＤＭＩ規格に従ってデジタル信号を搬送するよう設計されたマルチメディアケーブルである。
【００１７】
一実施例では、マルチメディアケーブルは、中央ケーブルコアと、中央ケーブルコアの周りに同心円状に配置された第１の複数のケーブルコアから形成された第１のリングと、ケーブルコアにおける同心の第１のリングの周りに配置された第２の複数のケーブルコアから形成された第２のリングとを含み、中央ケーブルコア、第１の複数のケーブルコア、および第２の複数のケーブルコアは、全部で少なくとも１９個のケーブルコアを含み、第１の複数のケーブルコアは互いに概して平行に配置され、第２の複数のケーブルコアは互いに概して平行に配置されている。
【００１８】
マルチメディアケーブルの一実施例では、ケーブルは、ＨＤＭＩ規格バージョン１．３または１．４に従って信号を搬送するのに好適である。
【００１９】
マルチメディアケーブルの一実施例では、少なくとも１９個のケーブルコアおよびおそらくはちょうど１９個のコアは、少なくとも１４個の個々にシールドされたケーブルコアと、少なくとも５個のシールドされていないケーブルコアとを含む。第１の複数のケーブルコアは１個のシールドされていないケーブルコアを含んでいてもよく、第２の複数のケーブルコアは４個のシールドされていないケーブルコアを含んでいてもよい。
【００２０】
マルチメディアケーブルの一実施例では、少なくとも１９個のケーブルコアは、少なくとも２２個のケーブルコアを含み、それらは、少なくともまたはちょうど１７個の個々にシールドされたケーブルコアと、少なくともまたはちょうど５個のシールドされていないケーブルコアとを含んでいてもよい。個々にシールドされたケーブルコアのうちの８個とシールドされていないケーブルコアのうちの１個とが第１の複数のケーブルコアを形成してもよく、シールドされたケーブルコアのうちの８個とシールドされていないケーブルコアのうちの４個とが第２の複数のケーブルコアを形成してもよい。第２の複数のケーブルコアは繰返しパターンの組を形成してもよく、各組は、１個のシールドされていないケーブルコアと２個の個々にシールドされたケーブルコアとから形成されている。第１の複数のケーブルコアは少なくとも８個のケーブルコアを含んでいてもよく、第２の複数のケーブルコアは少なくとも１５個のケーブルコアを含んでいてもよい。第１の複数のケーブルコアはひいては、少なくとも７個の個々にシールドされたケーブルコアを含んでいてもよく、第２の複数のケーブルコアはひいては、少なくとも１０個の個々にシールドされたケーブルコアを含んでいてもよい。
【００２１】
一実施例では、マルチメディアケーブルは、第１のリングと第２のリングとの間に配置されたシールド材をさらに含む。それはまた、第１のリングと第２のリングとの間に配置されたＡｌ−マイラーテープをさらに含んでいてもよい。一実施例では、マルチメディアケーブルは、第２のリングを包囲するシールド材をさらに含み、また、第２のリングを包囲するＡｌ−マイラーテープ、および／または第２のリングを包囲するシールド材を包囲する絶縁性被覆材をさらに含んでいてもよい。
【００２２】
一実施例では、中央ケーブルコアと、中央ケーブルコアの周りに配置された８個の個々にシールドされたケーブルコアと１個のシールドされていないケーブルコアとから形成された第１の同心リングと、第１の同心リングを包囲する第１のシールド材と、第１の同心リングの周りに配置された８個の個々にシールドされたケーブルコアと４個のシールドされていないケーブルコアとから形成された第２の同心リングと、第２の同心リングを包囲する第２のシールド材と、第２のシールド材を包囲する絶縁性被覆材とを含み、第１の同心リングを形成するケーブルコアは互いに概して平行に配置され、第２の同心リングを形成するケーブルコアは互いに概して平行に配置されている、マルチメディアケーブルも、ここに説明される。
【図面の簡単な説明】
【００２３】
【図１】ＨＤＭＩプロトコルで使用される先行技術のケーブルの一実施例の図式化された断面図である。
【図２Ａ】マルチメディアケーブルの第１の実施例の図式化された断面図である。
【図２Ｂ】図２Ａの例示的な「ツイストペア」グループを示す標示を有する図２Ａの実施例の図である。
【図３】マルチメディアケーブルの第２の実施例の図式化された断面図である。
【図４】マルチメディアケーブルの第３の実施例の図式化された断面図である。
【発明を実施するための形態】
【００２４】
好ましい実施例の説明
以下の説明は、限定のためではなく例示のために例証する。上述のように、ＨＤＭＩ規格は、何個の導体がどのデータをどのレートおよび品質で提供するかというさまざまな仕様を提供する。ＨＤＭＩ規格は、多くの点で、ケーブルの物理的設計を定めていないが、代わりに、ケーブルがどのように終端するか、およびケーブルがどのように機能するかを定めている。このため、標準ＨＤＭＩという用語がこの明細書全体を通して一般に使用されるが、伝統的なＨＤＭＩが伝統的なツイストペアグループを使用する一方、このケーブルは、１対の導体を含むグループを依然として使用しながら、それらを標準ツイストペアとして提供していない、ということを認識すべきである。また、この開示のＨＤＭＩケーブルは、ＨＤＭＩ規格に従って動作し、終端されるよう設計されているが、伝統的にＨＤＭＩケーブルと呼ばれているものとは完全に異なる内部設計を有している。
【００２５】
図２は、ＨＤＭＩプロトコルでの使用のために設計されたケーブル（１００）の一実施例の断面を表図である。このケーブルは、導体とそれ自体の専用の被覆材とを各々含む１７個のケーブルコア（１〜１７）を、構成要素が被覆されていない５個の導体（２１）、（２３）、（２５）、（２７）および（２９）とともに含む。これらは、標準ＨＤＭＩケーブルの１４個のシールドされた導体および５個の接地として機能する（余分の３個のコアは、後の拡張用に、または追加の伝送コンポーネントでの使用のために利用可能である）。コア（１〜１７）ならびに導体（２１）、（２３）、（２５）、（２７）および（２９）は、ツイストペアとなるよう構成されてはいない。なぜなら、ケーブル（１００）は、中央電力ケーブル（１０１）の周りに導体の２つの同心リング（１０３）および（１０５）を含むためである。
【００２６】
図２の実施例では、ケーブル（１００）の中心である導体（１０１）は通常、ケーブル（１００）の電力輸送能力を提供するために使用される。次に、コア（１０１）を包囲するよう配置された導体の第１のリング（１０３）がある。導体の第１のリング（１０３）は、複数の概して平行なコア（２）、（３）、（４）、（５）、（６）、（７）、（８）、および（９）を、概して単一の接地（２９）とともに含む。接地（２９）は、この内側リング（１０３）および電力（１０１）用のドレインとして機能し、残りの導体は、ＨＤＭＩプロトコルのさまざまな多岐にわたるプロトコル（ＣＤＣなど）コアとして機能するであろう。これらの構成要素は通常、隣り合って配置され、また、ケーブル（１００）と平行であってもよく、またはその周りに概して均一にゆっくりと捩じれていてもよい。
【００２７】
見てわかるように、内側リング（１０３）には８個のコア（プラス接地）が示されており、それは、現行のＨＤＭＩケーブルで非音声／映像／クロック信号を搬送するために使用される５つのコアおよび接地よりも多い。余分の３個の導体（たとえば（７）、（８）、および（９）、ただし、ＨＤＭＩコネクタのどのピンでどのコアを終端させるかという選択は設置業者に委ねられており、内側リング（１０３）のどのコア（２〜９）もＨＤＭＩプロトコルのどのチャネルに割当てられてもよい）は、あるサイズのコアを使用する際に完全な内側リング（１０３）が生成されることを確実にするために提供されてもよい。具体的には、これらの余分のコアは、材料の完全なリングが存在するよう、かつ、内側リング（１０３）が間隙または空間を含まず、概して一貫性があり、中実であるよう、提供される。それらはまた、十分なかさを有し、その上に外側リング（１０５）が配置される、固定したサイズの内側リング（１０３）外径も提供する。これらの余分のコアは、現行のＨＤＭＩプロトコルでは特定の用途を有していないものの、将来のプロトコルの必要性のために使用可能であり、プロトコルの一部ではない固有の転送のために使用可能であり、または、当業者には公知であるような他の目的のために提供されてもよい。
【００２８】
代替的な一実施例では、内側リング（１０３）における余分のコアは、ケーブル（１００）がＨＤＭＩケーブルとして動作するのに厳密には必要ではないため、排除されてもよい、ということが認識されるべきである。しかしながら、そのような実施例では、内側リング（１０３）の構成要素（５個のコアプラスドレインであり得る）は、より大きいゲージのワイヤで構成されてもよく、および／または、それらをより大きくして提供するために被覆材の厚さが増加されてもよい。このように、内側リング（１０３）はここでも、電力コア（１０１）の周りで完全である。また、これに代えて、余分のコアの代わりに充填材（プラスチックロッドまたは同様の材料など）を使用して、完全なリング（１０３）を提供してもよい。さらに別の実施例では、リング（１０３）は単に間隙を有していてもよく、Ａｌ−マイラーテープ（１０９）およびシールド材（１０７）を使用して、リング（１０３）の外面を概して滑らかにし、第２のリング（１０５）が配置される面を提供してもよい。見てわかるように、内側リング（１０３）および外側リング（１０５）の双方が各々、余分の間隙を有することなく、同心リング状に配置されたコアおよび接地を含むことを確実にし、かつ、リング（１０３）または（１０５）がその中に含まれるすべてのコアおよび導体を収容するのに十分な円周を有することを確実にする上で、サイズの検討が有益となり得る。
【００２９】
導体の第１のリング（１０３）の外側にはシールド材（１０７）があり、それは、図示された実施例では、螺旋コイルの導電性ワイヤから形成されているが、ワイヤブレードまたはさらには鋳造金属面を含むもののそれらに限定されないどんな設計のものであってもよく、それは、内側リング（１０３）によって搬送される信号を外側リング（１０５）の信号から隔離するよう機能し、また、ケーブル長さを提供することも可能である。導体の第１のリング（１０３）を第２のリング（１０５）から分離するために、Ａｌ−マイラーテープ（１０９）も提供される。代替的な実施例では、Ａｌ−マイラーテープ（１０９）およびシールド材（１０７）は排除されてもよい。なぜなら、結果として生じるケーブル（１００）の内部構成要素の設計および所望の特性に依存して、シールドおよび隔離が不必要となる場合があるためである。
【００３０】
シールド材（１０７）は通常、導体の第２のリング（１０５）によって包囲されるであろう。この実施例では、８個のコア（１０〜１７）および４個のドレイン導体が、第２のリング（１０５）に設けられている。これらは通常、標準ＨＤＭＩケーブル構成で使用される４個のツイストペアケーブルに対応するよう使用されるが、ペアが互いの周りで捩じれた状態で配置されてはいない。代わりに、各「ペア」の部材は概して互いに隣り合って配置され、各「ペア」は接地によって分離されている。
【００３１】
図２Ｂに見えるように、コアは通常、２個のデータコアが接地によって分離されるよう、利用されるであろう。このため、８個のコアおよび４個の接地は、２個のコア（たとえば、（３０３ａ）および（３０３ｂ））と１個の接地（たとえば（３０３ｇ））とを各々含む４つの「組」（３０１）、（３０３）、（３０５）および（３０７）へと論理的にグループ化される。これらの４つの組（３０１）、（３０３）、（３０５）および（３０７）は、標準ＨＤＭＩケーブルにおける４個のツイストペアに対応しており、したがって、グループのうちの３つ（３０１）、（３０３）および（３０５）は、３個の音声映像ツイストペア（および関連付けられた接地）を提供し、４番目（３０７）はクロック信号（および関連付けられた接地）を提供する。上述のように、コアおよびドレインの特定の終端は、ＨＤＭＩコネクタをケーブル（１００）に取付ける製造業者に委ねられており、このため、グループ（３０１）、（３０３）、（３０５）および（３０７）のうちのどれが、音声、視覚、またはクロック信号のうちのどれを含むかについての上述の言及は単なる例示であり、設置業者および／または製造業者の要望に依存して、異なるグループが異なる機能を持ち得る。
【００３２】
導体の第２のリング（１０５）も、電力ケーブル（１００）に対して概して平行な導体を含んでいてもよく、または、第２のリング（１０５）の構成要素は、電力ケーブル（１００）の周りで概して螺旋状に捩じれていてもよい。第２のリング（１０５）も、Ａｌ−マイラーテープ（１１１）、およびシールド材（１０７）と同様の構造であり得るシールド材（１１３）によって概して包囲されている。次に、通常、絶縁性被覆材（１１５）がその上に配置されてケーブルを保護し、電気的絶縁を提供し、かつその外部構造を形成する。
【００３３】
提供された図面から明らかであるように、ケーブル（１００）は、伝統的に図１に示すようなＨＤＭＩケーブルの設計であったような、ツイストペアとして構成され、外側被覆材（１１５）の内部に独立した被覆材を有して設けられた導体またはコアを含んでいない。代わりに、４個のツイストペアは、外側リングにおける２つの概して平行な導体の４つのグループによって置き換えられ、それらのグループは接地によって分離されている。
【００３４】
ツイストペアの代わりに導体の２つのリング（１０３）および（１０５）を使用することは、伝統的なＨＤＭＩケーブル構成に対し、多数の利点を提供する。特に、この構成は、ケーブル（１００）が、受入れ可能なＨＤＭＩケーブルとして機能することができるよう、すなわちＨＤＭＩ規格の要件を満たすことができるよう、漏話および他の干渉の十分な排除を提供可能である。第二に、ケーブル（１００）は通常、はるかにより小さい設計を可能にする。まず第１に、コア（１〜１７）は、ＨＤＭＩケーブルで伝統的に使用されていたものよりも小さい直径を有することができ、それにより、ケーブル（１００）は、伝統的に構成された設計よりも小さくなることができる。また、ツイストペアが排除され、同軸構成が効果的に使用されるため、内部被覆材が排除され、結果として生じるケーブル（１００）はより小さくなる。なぜなら、被覆材料が含まれる必要がないためである。捩じる作用から生じる失われた空間も、存在しない。
【００３５】
図３および図４は、上述の実施例と概して同じ２リング構成を利用するものの、若干変更された内部構成および構成要素を利用する、マルチメディアケーブルの代替的な設計を提供する。これらの設計はすべて例示的であり、他の設計も当業者には明らかであろう。
【００３６】
図３は、図２の実施例と同じ数の構成要素を各リングに有する設計を提供する。しかしながら、この実施例では、特定の接地（ドレイン）導体はなく、内側（１０３）および外側リング（１０５）全体が、被覆された導体またはコア（１〜２１）から形成されている。これは能力の増加を提供可能であり、シールド材（特にＡｌ−マイラーテープ）の一部の排除を可能にする。なぜなら、ケーブルを形成する各コアが個々の被覆材を含むためである。しかしながら、この設計は漏話の増加を可能にし、通常、図２の実施例ほど好ましくない。
【００３７】
図４は、ＨＤＭＩバージョン１．４機能用の特定の使用の設計を提供する。ＨＤＭＩバージョン１．４では、ケーブル（４００）に追加された付加的機能性がある。これは、イーサネット（登録商標）および音声リターン機能（ＨＥＡＣ）を含む。この付加的機能性に対処するために、ケーブル（４００）は、外側リング（１０５）に追加の２個のコア（４０１）および（４０２）と接地（４０３）とを含み、それらは、追加の信号を搬送する追加のツイストペアおよび関連付けられた接地として作用する。この構成の一部として、図２の「余分のコア」のうちの２個が内側リング（１０３）で除去され、そのリングをより小さくする。これは、ケーブル（４００）の全径を実質的に増加させることなく、より大きい外側リング（１０５）を収容することを可能にし、また、内側リング（１０３）のサイズの減少により、非同心リングを作製する必要なく、外側リング（１０５）のサイズの増加に対処できることを提供可能である。
【００３８】
図２Ｂから明らかなように、データを供給するコアの各「ペア」（３０１）、（３０３）、（３０５）および（３０７）が隣接するペアから接地によって分離されることが概して好ましく、これは図４の設計でも同じである。２個の隣接する接地のうちの一方は、そのペア用の接地として使用され、一方、他方は、隣の隣接ペア用の接地として使用される。
【００３９】
現在好ましい実施例であると考えられているものを含むいくつかの実施例の説明とともに、この発明を開示してきたが、詳細な説明は例示的であるよう意図されており、この開示の範囲を制限すると理解されるべきではない。当業者には理解されるように、ここに詳細に説明したもの以外の実施例は、この発明に包含されている。説明された実施例の修正および変更は、この発明の精神および範囲を逸脱することなく行なわれてもよい。
【図１】
2013516743.tif 000003
【図２Ａ】
2013516743.tif 000004
【図２Ｂ】
2013516743.tif 000005
【図３】
2013516743.tif 000006
【図４】
2013516743.tif 000007
【国際調査報告】
2013516743.tif 000008
2013516743.tif 000009